(57)【要約】【課題】  汚れた荷物などを乗せる場合に車室内を汚さないようにでき、かつ設置・格納に手間がかからず、格納状態での見栄えも良い車両後部荷室構造を提供する。【解決手段】  リヤシートバック２とバックドアとの間に設定された車両後部荷室４において、その床壁上及びそれに連続する側壁下部の内面を覆うシートカバー１０を設け、このシートカバー１０を引き出し・収納自在に収納する収納部６を床壁を形成するデッキボード８の下部に設け、前記シートカバー１０は、収納部６から引き出し、その引き出し方向先端部１０ａを上方に立ち上げ、その先端両側の係合部１３を側壁に係合させ、シートカバー１０の両側部１０ｂを上方に立ち上げ、その引き出し方向両端の接合部１４を先端立ち上げ部１０ａと可動デッキボード９の裏面に接合してボックス状カバー１１を形成するようにした。【選択図】        図１
2006160035.tif 000002
【特許請求の範囲】
【請求項１】
リヤシートバックとバックドアとの間に設定された車両後部荷室において、その床壁上及びそれに連続する側壁下部の内面を覆うシートカバーを設け、このシートカバーを引き出し・収納自在に収納する収納部を、床壁上に起立・倒伏可能に設けられたデッキボードの下部に設け、かつ前記シートカバーは、収納部から引き出し、その引き出し方向先端部を上方に立ち上げ、その先端両側の係合部を側壁に係合させ、シートカバーの両側部を上方に立ち上げ、その引き出し方向両端部を先端立ち上げ部と起立させたデッキボードの裏面に接合してボックス状カバーを形成するようにしたことを特徴とする車両後部荷室構造。
【発明の詳細な説明】
【技術分野】
【０００１】
本発明は車両後部荷室構造に関し、特に後部荷室に汚れた荷物やペットなどをそのまま乗せても車室内を汚さずに済むようにした車両後部荷室構造に関するものである。
【背景技術】
【０００２】
ワゴン、バン、ハッチバック等の車両においては、車両のリヤシートとバックドアとの間に後部荷室が設定されている。後部荷室の床面構造として、そのフロアパネル上に工具類やスペアタイヤなどを収容する収納ボックスを設置し、この収納ボックス上面に、後部荷室の床壁を構成するデッキボードを配置し、さらにデッキボード上にリヤシートの前後位置調整に追従して前後に移動する可動デッキボードを設置したものが知られている。
【０００３】
このような後部荷室において、汚れた荷物や足の汚れたペットなどを乗せた場合、その荷物により後部荷室が汚れたり、悪臭がこびり付いたりすることがあるが、上記デッキ部は水洗いすることができず、清潔な状態に保つのが困難であった。
【０００４】
なお、車室内の座席上などを必要時に覆うことができるように、適所に係止具を設けて車室内の所要箇所に着脱自在に装着できるようにした可撓性のカバー部材を、付属部品として装備したものは知られている（例えば、特許文献１参照。）。
【特許文献１】特開平１１−２４０３８７号公報
【発明の開示】
【発明が解決しようとする課題】
【０００５】
ところが、後部荷室において、上記のような可撓性のカバー部材を装備したとしても、装着作業が面倒で手間がかかり、また使用後の格納場所に困るとともに、見栄え良く格納することができないという問題がある。
【０００６】
本発明は、上記従来の問題点に鑑み、汚れた荷物などを乗せる場合に車室内を汚さないようにでき、かつ設置・格納に手間がかからず、格納状態での見栄えも良い車両後部荷室構造を提供することを課題とする。
【課題を解決するための手段】
【０００７】
本発明の車両後部荷室構造は、リヤシートバックとバックドアとの間に設定された車両後部荷室において、その床壁上及びそれに連続する側壁下部の内面を覆うシートカバーを設け、このシートカバーを引き出し・収納自在に収納する収納部を、床壁上に起立・倒伏可能に設けられたデッキボードの下部に設け、かつ前記シートカバーは、収納部から引き出し、その引き出し方向先端部を上方に立ち上げ、その先端両側の係合部を側壁に係合させ、シートカバーの両側部を上方に立ち上げ、その引き出し方向両端部を先端立ち上げ部と起立させたデッキボードの裏面に接合してボックス状カバーを形成するようにしたものである。
【０００８】
この構成によれば、汚れた荷物などを乗せる場合に、床壁下部の収納部からシートカバーを引き出して床壁上及びそれに連続する側壁下部の内面を覆うボックス状カバーを形成することができ、後部荷室が汚れるのを防止することができ、また使用後にはシートカバーを床壁下部に設けた収納部に収納することで、見栄え良く格納することができる。
【０００９】
なお、シートカバーは、汚れ等がこびりつかず、容易に清掃できるように撥水性を有する撥水性シートで構成するのが好ましく、また必要時に水洗いできるように着脱可能とするのが好適である。また、デッキボードの裏面のボックス状カバーを形成する部分にも、同様の撥水性シートを貼付けておくのが好ましい。
【発明の効果】
【００１０】
本発明によれば、汚れた荷物などを積載する際に、床壁下部の収納部からシートカバーを引き出して床壁上及びそれに連続する側壁下部の内面を覆うことで後部荷室が汚れるのを防止でき、また非使用時には見栄え良く格納することができる。
【発明を実施するための最良の形態】
【００１１】
以下、本発明の車両後部荷室構造の一実施形態について、図１〜図３を参照して詳細に説明する。
【００１２】
図１（ａ）、（ｂ）において、１は車両で、そのリヤシート２とバックドア開口部３を開閉自在に閉鎖するバックドア（図示せず）との間に後部荷室４が設定されている。５は、後部荷室４のフロアパネル上に設置された収納ボックスで、後述のシートカバー１０を収納する前部の収納部６と工具類やスペアタイヤなどを収納する後部の収納部７が形成されている。収納ボックス５の上面には、後部荷室４の床壁を構成するデッキボード８が配置されている。デッキボード８は、前部の収納部６を閉鎖する前部ボード８ａと後部の収納部７を閉鎖する後部ボード８ｂにて構成され、前部ボード８ａは、図１（ｂ）に仮想線で示すように、その後端を中心にして白抜矢印の如く上方に回動させて開閉できるように構成されている。
【００１３】
デッキボード８上には、リヤシート２の前後位置調整に追従して前後に移動する可動デッキボード９が設置されている。この可動デッキボード９の前端は、連結部９ａを介してリヤシート２のフレームに連結されるとともに、揺動連結部９ｂを介してデッキボード８上に倒伏した姿勢とリヤシート２のシートバック２ａに沿うように起立させた姿勢との間で回動可能に構成されている。また、可動デッキボード９の前端部には、図２に示すように左右一対の各リヤシート２に対応して、それぞれのシートバック２ａの背面に先端部が常時接した状態でシートバック２ａの起立・倒伏回動に従動して回動するように前方に向けて揺動付勢された揺動接続板９ｃが配設されている。
【００１４】
収納ボックス５の前部の収納部６には、撥水性シートから成るシートカバー１０が、図１（ｂ）に仮想線で示すように先端部１０ａから巻回した状態若しくは折り畳んだ状態で、かつ前部の収納部６の前端上部にその基端固定部１０ｃを固定した状態で収納されている。シートカバー１０は、図１（ａ）、（ｂ）に示すように、可動デッキボード９を起立させた状態で、前部ボード８ａを開いて収納部６から引き出し、後部荷室４の床壁上及びそれに連続する側壁下部の内面をボックス状に覆うボックス状カバー１１を形成できるように構成されている。また、必要時にシートカバー１０を取り出せるように、その基端固定部１０ｃは着脱可能に構成されている。
【００１５】
本実施形態では、起立させた可動デッキボード９の裏面下部に、シートカバー１０と同一材質のシート材１２が、ボックス状カバー１１の前側面を形成するように貼り付けられている。なお、可動デッキボード９の裏面は汚れても見えないので、場合によってはシート材１２は設けなくても良い。シートカバー１０は、その引き出し方向先端両側に、後部荷室４の両側壁を構成するデッキサイドトリムなど、後部荷室４の後端部の所定高さ位置に形成された被係合部（図示せず）に係止可能な係合部１３が設けられ、シートカバー１０を引き出してその先端部１０ａを上方に立ち上げ、係合部１３を側壁に係合させることでボックス状カバー１１の後側面を形成するように構成されている。また、シートカバー１０はその両側部１０ｂが内側に折り畳んだ状態で収納されているとともに、その両端部に面ファスナーなどの接合具を装着した接合部１４が設けられており、シートカバー１０を引き出した後、その両側部１０ｂを上方に立ち上げ、その引き出し方向両端部の接合部１４にて、シートカバー１０の立ち上げた先端部１０ａの両側端部及びシート材１２の両側端部に接合することでボックス状カバー１１が構成されている。
【００１６】
以上の構成によれば、車両１の後部荷室４に汚れた荷物や足の汚れたペットなどを乗せる場合に、図２に示す通常の使用状態から、可動デッキボード９を起立させた後、前部ボード８ａを開いてシートカバー１０を前部の収納部６からデッキボード８上に図３（ａ）に示すように引き出し、さらに図３（ｂ）に示すように後方に引き出し展開するとともに、図３（ｃ）に示すように、先端部１０ａを上方に立ち上げて係合部１２を側壁に係止させ、次いで図３（ｄ）に示すように、両側部１０ｂを立ち上げてその両端の接合部１４をそれぞれ先端部１０ａとシート材１２の両側端部に接合することで、後部荷室４にその床壁上及びそれに連続する側壁下部の内面を覆うボックス状カバー１１が形成される。
【００１７】
かくして、このようにボックス状カバー１１が形成された後部荷室４に汚れた荷物や足の汚れたペットなどを乗せても、後部荷室４が汚れるのを防止することができる。また、使用後には、上記とは逆に分解して折り畳み収納することで、シートカバー１０をデッキボード８の下部の前部の収納部６内に収納することができ、外部に露出させずに見栄え良く収納することができ、簡単に図２に示す通常の使用状態に復元することができる。
【００１８】
また、シートカバー１０を撥水性シートで構成しているので、汚れ等がこびりつかず、容易に清掃することができる。また、シートカバー１０の基端固定部１０ｃを収納部６に対して着脱可能としているので、必要時にシートカバー１０を取り出して水洗いすることもでき、シートカバー１０を衛生的かつ清潔に保つことができる。
【００１９】
以上の説明のシートカバー１０においては、両側部１０ｂの両端部に面ファスナーなどを装着した接合部１４を設けた例を示したが、図４（ｂ）に示すように、両側部１０ｂを、先端部１０ａの先端まで連続して形成し、先端部１０ａと底面との境界の谷折線１５（二点鎖線）の両端から両側部１０ｂに、谷折線１５と平行な山折線１６（一点鎖線）と両側部１０ａの先端内側縁に向かって延びる谷折線１７（二点鎖線）を形成し、図４（ａ）に示すように、谷折線１５で折り曲げてシートカバー１０の先端部１０ａを立ち上げるときに、両側部１０ｂの先端部を山折線１６と谷折線１７で折り曲げて両側部１０ｂの先端部を三角形状に折り畳んで両側部１０ｂを立ち上げるようにしてもよい。また、両側部１０ｂの先端部を三角形状に折り畳んだ状態で固定するフック部材１８を設けるのが好ましい。
【００２０】
さらに、シートカバー１０の構成は、以上の実施形態に示したものに限定されるものではない。例えば上記実施形態では、可動デッキボード９を起立させてその裏面でボックス状カバー１１の前側面を形成するようにした例を示したが、デッキボード８の前部ボード８ａをその前端を中心にして上方に回動させて開閉するようにし、上方に開いて起立させた状態で、その裏面でボックス状カバー１１の前側面を形成するようにしても良い。
【産業上の利用可能性】
【００２１】
本発明の車両後部荷室構造は、床壁下部の収納部からシートカバーを引き出して床壁上及びそれに連続する側壁下部の内面を覆うことで、汚れた荷物などを積載する場合にも後部荷室が汚れるのを防止でき、また非使用時には見栄え良く格納することができるので、後部荷室を有する各種自動車に有用である。
【図面の簡単な説明】
【００２２】
【図１】本発明の車両後部荷室構造の一実施形態においてボックス状カバーを形成した状態を示し、（ａ）は斜視図、（ｂ）は縦断側面図である。
【図２】同実施形態においてシートカバーを格納した状態の斜視図である。
【図３】同実施形態においてボックス状カバーの形成工程の斜視図である。
【図４】同実施形態のシートカバーの変形構成例を示し、（ａ）はボックス状カバーを形成した状態の斜視図、（ｂ）はシートカバーを展開した状態の斜視図である。
【符号の説明】
【００２３】
１  車両
２  リヤシート
３  バックドア開口部
４  後部荷室
６  前部の収納部
８  デッキボード
９  可動デッキボード
１０  シートカバー
１０ａ  先端部
１０ｂ  両側部
１１  ボックス状カバー
１３  係合部
１４  接合部
【図１】
2006160035.tif 000003
【図２】
2006160035.tif 000004
【図３】
2006160035.tif 000005
【図４】
2006160035.tif 000006